(57)【特許請求の範囲】
【請求項１】
容器体（１００）の口頸部（１０１）外周に嵌合させる装着キャップ（Ａ）に上端部を固定して容器体（１００）内に垂下するとともに、大径の空気用シリンダ（２０）及び小径の液用シリンダ（２１）を上下に同心円状に連設してなるシリンダ部材（Ｂ）と、液用シリンダ（２１）内を摺動する液用ピストン（Ｃ１）をステム（Ｃ２）外周下部より突設するとともに、空気用シリンダ（２０）内を摺動する空気用ピストン（Ｃ３）をステム（Ｃ２）外周上部に連携させ、ステム（Ｃ２）上端に吐出ヘッド（Ｃ４）を嵌着して上方付勢状態で上下動可能に装着した作動部材（Ｃ）とを備え、作動部材（Ｃ）の上下動により液用シリンダ（２１）内の液と空気用シリンダ（２０）内の空気を合流させて起泡部材（７６）を介して起泡させ、吐出ヘッド（Ｃ４）の吐出口より吐出する如く構成した泡吐出器であって、
吐出ヘッド（Ｃ４）を、ステム（Ｃ２）上端部に嵌着固定するとともに、ステム（Ｃ２）と連通する支持筒（６１）を起立してなる下部材（Ｃ４ａ）と、支持筒（６１）内に吐出口（７５）と連通する縦筒（７０）を着脱が可能に嵌合させるとともに、縦筒（７０）内下端部に起泡部材（７６）を設けた上部材（Ｃ４ｂ）とで構成し、下部材（Ｃ４ａ）と上部材（Ｃ４ｂ）との間に上部材（Ｃ４ｂ）の易離脱手段を備え、上部材（Ｃ４ｂ）の易離脱手段は、下部材（Ｃ４ａ）に上向き凹凸面（ｆ１）を、上部材（Ｃ４ｂ）に上向き凹凸面（ｆ１）と嵌合する下向き凹凸面（ｆ２）をそれぞれ形成し、下部材（Ｃ４ａ）に対して上部材（Ｃ４ｂ）を回動することで、上向き凹凸面（ｆ１）上を下向き凹凸面（ｆ２）がスライド上昇し、下部材（Ｃ４ａ）に対して上部材（Ｃ４ｂ）を上昇させる機構を備え、
下部材（Ｃ４ａ）は、ステム（Ｃ２）外周上端部に嵌着した嵌着筒（５５）の上端より内方に延設したフランジ（５６）を介してステム（Ｃ２）内周上端部に嵌合する内筒（５７）を垂設し、フランジ（５６）上に支持筒（６１）を起立し、支持筒（６１）の外方に下部外周壁（６３）を支持させてなり、上部材（Ｃ４ｂ）は、支持筒（６１）内に気密・液密に嵌合させた縦筒（７０）を頂板（７１）裏面より垂設するとともに、頂板（７１）の周縁部より下部外周壁（６３）上に上部外周壁（７２）を垂設し、縦筒（７０）の上部に基端を開口してノズル（７４）を延設してなり、
上部材（Ｃ４ｂ）の易離脱手段として、下部外周壁（６３）内面に突設した上向き凹凸面形成用突部（６４）の上面に形成した上向き凹凸面（ｆ１）と、上部外周壁（７２）内面に突設した下向き凹凸面形成用突部（７３）の下面に形成した下向き凹凸面（ｆ２）とで構成した泡吐出器。
【請求項２】
上向き凹凸面（ｆ１）及び下向き凹凸面（ｆ２）をそれぞれ環状に形成した請求項１に記載の泡吐出器。
【請求項３】
下部材（Ｃ４ａ）を装着キャップ（Ａ）に対して、常時所定位置での上下動が可能に構成し、上向き凹凸面（ｆ１）と、上向き凹凸面（ｆ１）に嵌合する下向き凹凸面（ｆ２）とを、下部材（Ｃ４ａ）と上部材（Ｃ４ｂ）とのそれぞれ一部に形成して、上部材（Ｃ４ｂ）を下部材（Ｃ４ａ）に嵌着した際に、ノズル（７４）が装着キャップ（Ａ）に対して常時所定方向を向く如く構成した請求項１又は請求項２に記載の泡吐出器。
【請求項４】
起泡部材（７６）として縦筒（７０）内下端部に嵌着した筒体（７６ｂ）の端面にメッシュ（７６ａ）を張設した請求項１乃至請求項３のいずれか１項に記載の泡吐出器。
【発明の詳細な説明】
【技術分野】
【０００１】
本発明は泡吐出器に関し、詳しくは起泡構造を構成するメッシュ等の起泡部材の洗浄を簡単に行なうことができる泡吐出器に関する。
【背景技術】
【０００２】
泡吐出器として、大径の空気用シリンダと小径の液用シリンダを上下に同心円状に連設したシリンダ部材と、液用シリンダ内を摺動する液用ピストンをステム外周下部より突設するとともに、空気用シリンダ内を摺動する空気用ピストンをステム外周上部に連繋させ、ステム上端に吐出ヘッドを嵌着して上方付勢状態で上下動可能に装着した作動部材とを備え、作動部材の上下動により液用シリンダ内の液と空気用シリンダ内の空気を合流させて起泡部材を介して起泡させ、吐出ヘッドの吐出口より吐出する如く構成したものが知られている。（例えば、特許文献１参照）
【０００３】
特許文献１に記載されている泡吐出器では、ステムの外周上端部に吐出ヘッドの縦筒を嵌着し、この縦筒内のステム直上部からステム内上端部にわたり嵌着させた筒部材内に起泡部材を嵌着している。起泡部材はメッシュを一端面に張設した筒体を一対筒部材内に嵌着することで構成している。
【先行技術文献】
【特許文献】
【０００４】
【特許文献１】特開２００９−２０２１２２号公報
【発明の概要】
【発明が解決しようとする課題】
【０００５】
従来のこの種の泡吐出器では、吐出ヘッドが簡単に離脱しないように、嵌合強度を大きくしてステムに対して吐出ヘッドの強固な嵌合を行なっている。その結果起泡部材を構成するメッシュの洗浄が事実上できないように構成されている。メッシュを通過する起泡性の液体或いはメッシュで起泡された泡は一般に乾燥固化しやすく長期の使用でメッシュに目詰まりを生じる虞もある。
【０００６】
本発明は上記した点に鑑みてなされたもので、メッシュ等で構成される起泡部材の洗浄が可能で、その操作も容易に行なうことができる泡吐出器を提案する。
【課題を解決するための手段】
【０００７】
第１の手段として、以下の通り構成した。即ち、容器体１００の口頸部１０１外周に嵌合させる装着キャップＡに上端部を固定して容器体１００内に垂下するとともに、大径の空気用シリンダ２０及び小径の液用シリンダ２１を上下に同心円状に連設してなるシリンダ部材Ｂと、液用シリンダ２１内を摺動する液用ピストンＣ１をステムＣ２外周下部より突設するとともに、空気用シリンダ２０内を摺動する空気用ピストンＣ３をステムＣ２外周上部に連携させ、ステムＣ２上端に吐出ヘッドＣ４を嵌着して上方付勢状態で上下動可能に装着した作動部材Ｃとを備え、作動部材Ｃの上下動により液用シリンダ２１内の液と空気用シリンダ２０内の空気を合流させて起泡部材７６を介して起泡させ、吐出ヘッドＣ４の吐出口より吐出する如く構成した泡吐出器であって、
吐出ヘッドＣ４を、ステムＣ２上端部に嵌着固定するとともに、ステムＣ２と連通する支持筒６１を起立してなる下部材Ｃ４ａと、支持筒６１内に吐出口７５と連通する縦筒７０を着脱が可能に嵌合させるとともに、縦筒７０内下端部に起泡部材７６を設けた上部材Ｃ４ｂとで構成し、下部材Ｃ４ａと上部材Ｃ４ｂとの間に上部材Ｃ４ｂの易離脱手段を備え、上部材Ｃ４ｂの易離脱手段は、下部材Ｃ４ａに上向き凹凸面ｆ１を、上部材Ｃ４ｂに上向き凹凸面ｆ１と嵌合する下向き凹凸面ｆ２をそれぞれ形成し、下部材Ｃ４ａに対して上部材Ｃ４ｂを回動することで、上向き凹凸面ｆ１上を下向き凹凸面ｆ２がスライド上昇し、下部材Ｃ４ａに対して上部材Ｃ４ｂを上昇させる機構を備え、
下部材Ｃ４ａは、ステムＣ２外周上端部に嵌着した嵌着筒５５の上端より内方に延設したフランジ５６を介してステムＣ２内周上端部に嵌合する内筒５７を垂設し、フランジ５６上に支持筒６１を起立し、支持筒６１の外方に下部外周壁６３を支持させてなり、上部材Ｃ４ｂは、支持筒６１内に気密・液密に嵌合させた縦筒７０を頂板７１裏面より垂設するとともに、頂板７１の周縁部より下部外周壁６３上に上部外周壁７２を垂設し、縦筒７０の上部に基端を開口してノズル７４を延設してなり、
上部材Ｃ４ｂの易離脱手段として、下部外周壁６３内面に突設した上向き凹凸面形成用突部６４の上面に形成した上向き凹凸面ｆ１と、上部外周壁７２内面に突設した下向き凹凸面形成用突部７３の下面に形成した下向き凹凸面ｆ２とで構成した。
【００１１】
第２の手段として、以下の通り構成した。即ち、前記第１の手段に於いて、上向き凹凸面ｆ１及び下向き凹凸面ｆ２をそれぞれ環状に形成した。
【００１２】
第３の手段として、以下の通り構成した。即ち、前記第１の手段又は第２の手段に於いて、下部材Ｃ４ａを装着キャップＡに対して、常時所定位置での上下動が可能に構成し、上向き凹凸面ｆ１と、上向き凹凸面ｆ１に嵌合する下向き凹凸面ｆ２とを、下部材Ｃ４ａと上部材Ｃ４ｂとのそれぞれ一部に形成して、上部材Ｃ４ｂを下部材Ｃ４ａに嵌着した際に、ノズル７４が装着キャップＡに対して常時所定方向を向く如く構成した。
【００１３】
第４の手段として、以下の通り構成した。即ち、前記第１の手段乃至第３の手段のいずれかの手段に於いて、起泡部材７６として縦筒７０内下端部に嵌着した筒体７６ｂの端面にメッシュ７６ａを張設した。
【発明の効果】
【００１４】
本発明によれば、吐出ヘッドＣ４を、ステムＣ２上端部に嵌着固定した下部材Ｃ４ａと、下部材Ｃ４ａに着脱が可能に嵌合させた上部材Ｃ４ｂとで構成し、また、上部材Ｃ４ｂの縦筒７０内下端部に起泡部材７６を設けているので、必要に応じて上部材Ｃ４ｂを下部材Ｃ４ａから離脱することで起泡部材７６の洗浄を容易に行うことができる。しかも、下部材Ｃ４ａと上部材Ｃ４ｂとの間に、下部材Ｃ４ａに対して上部材Ｃ４ｂを回動することで、下部材Ｃ４ａに対して上部材Ｃ４ｂを上昇させる機構を備えた上部材Ｃ４ｂの易離脱手段を備えているので、洗浄に当たっては上部材Ｃ４ｂを下部材Ｃ４ａに対して単に回動上昇させるという簡単な操作で上部材Ｃ４ｂを取り外すことができ、また、洗浄後は上部材Ｃ４ｂを回動下降させるだけで元の状態に戻すことができる。更に、従来品と比較しても部材数を増加することなく製造できる利点がある。
【００１５】
下部材Ｃ４ａは、ステムＣ２外周上端部に嵌着した嵌着筒５５の上端より内方に延設したフランジ５６を介してステムＣ２内周上端部に嵌合する内筒５７を垂設し、フランジ５６上に支持筒６１を起立し、支持筒６１の外方に下部外周壁６３を支持させてなり、上部材Ｃ４ｂは、支持筒６１内に気密・液密に嵌合させた縦筒７０を頂板７１裏面より垂設するとともに、頂板７１の周縁部より下部外周壁６３上に上部外周壁７２を垂設し、縦筒７０の上部に基端を開口してノズル７４を延設してなり、上部材Ｃ４ｂの易離脱手段として、下部外周壁６３に形成した上向き凹凸面ｆ１と、上部外周壁７２に形成した下向き凹凸面ｆ２とで構成した場合には、下部材Ｃ４ａのステムＣ２への強固な嵌着固定を行なえるため、下部材Ｃ４ａと上部材Ｃ４ｂとの分離をより確実に行なうことができ、また、相互の組み付け操作を容易に行えるという特徴を備え、各部材をコンパクトに効率良く組み付けることができる利点がある。
【００１６】
上部材Ｃ４ｂの易離脱手段として、下部外周壁６３内面に突設した上向き凹凸面形成用突部６４の上面に形成した上向き凹凸面ｆ１と、上部外周壁７２内面に突設した下向き凹凸面形成用突部７３の下面に形成した下向き凹凸面ｆ２とで構成した場合には、上部材Ｃ４ｂの易離脱手段を内部に隠して外見をより良好とすることができ、しかも、上部材Ｃ４ｂの着脱に際しては、易離脱手段が見えなくても手の感触で容易に確実に着脱を行えるという利点がある。
【００１８】
上向き凹凸面ｆ１及び下向き凹凸面ｆ２をそれぞれ環状に形成した場合には、相互の凹凸嵌合部分を多数形成することができ、安定した上部材Ｃ４ｂと下部材Ｃ４ａとの嵌着固定が可能となり、また、離脱した上部材Ｃ４ｂを下部材Ｃ４ａに嵌合する際に多数の凹凸嵌合部分のため、任意位置から小さい回動幅で各凹凸面の嵌合が可能となり、装着がより容易となる。
【００１９】
下部材Ｃ４ａを装着キャップＡに対して、常時所定位置での上下動が可能に構成し、上向き凹凸面ｆ１と、上向き凹凸面ｆ１に嵌合する下向き凹凸面ｆ２とを、下部材Ｃ４ａと上部材Ｃ４ｂとのそれぞれ一部に形成して、上部材Ｃ４ｂを下部材Ｃ４ａに嵌着した際に、ノズル７４が装着キャップＡに対して常時所定方向を向く如く構成した場合には、容器体１００に対して取り外した上部材Ｃ４ｂを常時所定方向を向けて嵌合することができるため、ハンディタイプの泡吐出器へ好ましく適用できる。
【００２０】
起泡部材７６として縦筒７０内下端部に嵌着した筒体７６ｂの端面にメッシュ７６ａを張設した場合には、起泡部材７６の組み付けをより容易に行なえることができ、また、それらの数を調整することで、起泡部材７６の起泡機能の選択を容易に行なえる利点もある。
【図面の簡単な説明】
【００２１】
【図１】泡吐出器の縦断面図である。（第１実施例）
【図２】泡吐出器の吐出ヘッド部分の要部拡大縦断面図である。（第１実施例）
【図３】吐出ヘッドの上部材を外した状態の縦断面図である。（第１実施例）
【図４】吐出ヘッドの上部材を外した状態の平面図である。（第１実施例）
【図５】吐出ヘッドの上部材を外した状態の要部斜視図である。（第１実施例）
【図６】吐出ヘッドの上部材の底面図である。（第１実施例）
【図７】易離脱手段を説明する展開図である。（第１実施例）
【発明を実施するための形態】
【００２２】
以下、本発明の形態を図面を参照して説明する。
【００２３】
図１乃至図７は本発明の泡吐出器の第１実施例を示す。泡吐出器１は、装着キャップＡと、シリンダ部材Ｂと、作動部材Ｃと、ポペット弁体Ｄと、カバーキャップＥとを備えている。
【００２４】
装着キャップＡは、泡吐出器１を容器体１００に固定するためのもので、容器体１００の口頸部１０１外周に嵌合させる周壁１０の上端縁より、中央に作動部材Ｃを貫通させる窓孔を開口した頂壁１１を延設し、窓孔周縁より下方へガイド筒１２を垂設している。
【００２５】
シリンダ部材Ｂは、上端部を装着キャップＡ内に嵌着固定した大径の空気用シリンダ２０の下部に、小径の液用シリンダ２１を同心円状に延設している。液用シリンダ２１は、空気用シリンダ２０の底壁部内周縁に周壁部の上端縁を連結して下方へ垂設し、周壁部の下端縁より中央を開口したテーパ状の底壁部を延設し、底壁部の上面を吸込み弁用の弁座２２として構成している。また、底壁部の中央開口縁よりパイプ嵌合筒２３を一体に垂設し、パイプ嵌合筒２３に吸い上げ用のパイプ２４の上端を嵌着しその下端を容器体１００内下端部に垂下させている。更に、液用シリンダ２１内面の底壁部外縁部から周壁部下端部に至る部分に、周方向複数の係止リブ２５を突設している。各係止リブ２５の上下中間部には上向き段部を設けている。
【００２６】
作動部材Ｃは、シリンダ部材Ｂに対して上方付勢状態で上下動可能に組み付けしたもので、液用ピストンＣ１と、ステムＣ２と、空気用ピストンＣ３と、吐出ヘッドＣ４とを備えている。
【００２７】
液用ピストンＣ１は、ステムＣ２内下部に嵌着した嵌合筒部３０の下端外周より外方へ上下スカート状の摺動部３１を突設し、摺動部３１を液用シリンダ２１内周に液密摺動可能に嵌合させている。また、嵌合筒部３０の上端部はステムＣ２内の上下方向中間部に於いて突条形態の逆止弁用の弁座３２を形成している。そして、液用ピストンＣ１の嵌合筒部３０下面と各係止リブ２５の上向き段部との間にコイルスプリングｓを介在させて作動部材Ｃを常時上方へ付勢させている。
【００２８】
ステムＣ２は、上下端を開口した筒状をなし、液用シリンダ２１に摺動する液用ピストンＣ１を下部外周に突設するとともに、空気用シリンダ２０内を摺動する空気用ピストンＣ３を外周上部に連携させて、液用シリンダ２１内及び空気用シリンダ２０内を上下動可能に装着されている。ステムＣ２内上部には吐出弁用の弁座３５を形成し、玉状弁体３６とで吐出弁３７を形成しており、また、吐出弁用の弁座３５の下面から逆止弁用の弁座３２の直上までの間に周方向複数の縦突条３８を突設している。更に、外面上下方向中間部にはフランジ状に突設した空気吐出弁用の弁座３９を突設しており、その上方の筒壁外周には周方向複数の縦突条４０を突設している。
【００２９】
空気用ピストンＣ３は、内周縁の筒状弁部４５をステムＣ２外周に小幅の上下動が可能に嵌合させ、筒状弁部４５外周より延設した階段状の隔壁４６を介して、空気用シリンダ２０内周に液密摺動可能に嵌合した上下スカート状の摺動部４７を延設している。筒状弁部４５はステムＣ２外周の縦突条４０外面に上下動可能に嵌合させている。また，空気用シリンダ２０の階段状の隔壁４６には外気を導入するための外気導入弁４８を設けている。外気導入弁４８は、下降した作動部材Ｃが上昇する際に空気用シリンダ２０内が負圧となることで開弁し、外気を導入する。
【００３０】
また、後述する如く、ステムＣ２の外周上端部には吐出ヘッドＣ４を構成する下部材Ｃ４ａの嵌着筒５５を嵌着固定しており、嵌着筒５５の内周下端部に環状凹部５８を凹設しており、筒状弁部４５はその環状凹部の頂面と、空気吐出弁用の弁座３９との間を上下動可能に装着しており、筒状弁部４５の下端部と空気吐出弁用の弁座３９とで空気吐出弁４９を構成している。そして、ステムＣ２と筒状弁部４５との間に、空気吐出弁４９から環状凹部５８内に連通し、空気用シリンダ２０内からステムＣ２内へ連通する空気供給路ｐを構成する通気路を備えている。この空気吐出弁４９は、図１に示す作動部材Ｃが最上方へ押し上げられている場合には閉塞しており、作動部材Ｃを押し下げた際には開弁し、更に押し下げ状態から上方付勢力により上昇する際には閉塞する如く構成している。
【００３１】
吐出ヘッドＣ４は、図２に拡大図で示す如く、ステムＣ２上端部に嵌着固定するとともに、ステムＣ２と連通する支持筒６１を起立してなる下部材Ｃ４ａと、支持筒６１内に吐出口７５と連通する縦筒７０を着脱が可能に嵌合させるとともに、縦筒７０内下端部に起泡部材７６を設けた上部材Ｃ４ｂとで構成している。
【００３２】
下部材Ｃ４ａは、ステムＣ２の外周上端部に嵌着させた嵌着筒５５の上端より内方へフランジ５６を延設し、フランジ５６の内周縁よりステムＣ２の内周上端部に嵌着させた内筒５７を垂設し、その下方の吐出弁３７下流位置に気液混合室Ｒを画成している。嵌着筒５５の下端内周には環状凹部５８を凹設しており、環状凹部５８の外周面に空気用ピストンＣ３の筒状弁部４５上端縁を気密・液密に摺動させている。また、内筒５７の下面からは玉状弁体３６の上昇幅を規制する規制突起６０を複数突設している。更に、フランジ５６の上からは支持筒６１を立設している。また、嵌着筒５５の外周面に突設した周方向複数の接続リブ６２を介して、嵌着筒５５の外周及び支持筒６１の外周位置に下部外周壁６３を支持している。下部外周壁６３の内周面上部には、後述する上部材Ｃ４ｂの易離脱手段を構成する、環状の上向き凹凸面形成用突部６４を突設しており、その上面に上向き凹凸面ｆ１を形成している。また、下部外周壁６３の前面には、吐出ヘッドＣ４の向きを特定するために、縦リブ６６を突設しており、装着キャップＡのガイド筒１２前部位置に縦設した案内溝１３に上下動可能に嵌合させている。
【００３３】
そして、環状凹部５８からステムＣ２と嵌着筒５５との間、ステムＣ２とフランジ５６との間、ステムＣ２と内筒５７との間を通り、下部材Ｃ４ａの下方のステムＣ２内に連通する通気路を設けており、ステムＣ２と筒状弁部４５との間の通気路とあわせて、空気用シリンダ２０から空気吐出弁４９を介して気液混合室Ｒに至る空気供給路ｐとして構成している。
【００３４】
上部材Ｃ４ｂは、下部材Ｃ４ａの支持筒６１内に外周下端部を気密・液密に嵌合させた縦筒７０を頂板７１裏面より垂設し、頂板７１の周縁部からは上部外周壁７２を垂設し、上部外周壁７２の下端面を下部外周壁６３の上端面に当接して両者で吐出ヘッドＣ４の外周壁を構成している。また、上部外周壁７２の内面には、後述する上部材Ｃ４ｂの易離脱手段を構成する、環状の下向き凹凸面形成用突部７３を突設しており、その下面に下向き凹凸面ｆ２を形成している。下向き凹凸面ｆ２は、下部外周壁６３上面と上部外周壁７２下面が当接した状態で、上向き凹凸面ｆ１と嵌合する如く構成しており、従って、本例では、下向き凹凸面形成用突部７３が下部外周壁６３の内面上端部まで垂下している。更に、縦筒７０の上端に基端を開口し、上部外周壁７２を貫通して前方へ突設したノズル７４を延設し、その先端に吐出口７５を開口している。また、縦筒７０内下端部には起泡部材７６を設けている。起泡部材７６は、メッシュ７６ａを張設した筒体７６ｂを一対用意して、メッシュ７６ａが上端及び下端になる如く縦筒７０内に嵌着させて構成している。尚、図示例では筒体を一対設けているが、メッシュを張設した筒体を一つ嵌着することも、三個以上嵌着することも可能であり、適宜選択することが可能である。
【００３５】
ポペット弁体Ｄは、下端部外面に、それぞれ液用シリンダ２１の係止リブ２５間に位置させる、周方向複数の係止突部８０を突設しており、液用シリンダ２１内からステムＣ２内下部に至る長さを有しており、吸込み弁用の弁座２２と下面が当接する位置から、各係止突部８０がコイルスプリングｓ下面に当接する位置までの上下動が可能に装着している。各係止突部８０上方は、下部を大径部に上部を小径部に形成しており、小径部の上端にはテーパ筒状に拡開する逆止弁体８１を形成し、この逆止弁体８１と逆止弁用の弁座３２とで逆止弁８２を形成している。また、ポペット弁体Ｄの下端部と吸込み弁用の弁座２２とで吸込み弁８３を構成している。
【００３６】
本発明では、下部材Ｃ４ａと上部材Ｃ４ｂとの間に、上部材Ｃ４ｂの易離脱手段を備えている。上部材Ｃ４ｂの易離脱手段は、下部材Ｃ４ａに上向き凹凸面ｆ１を、上部材Ｃ４ｂに上向き凹凸面ｆ１と嵌合する下向き凹凸面ｆ２をそれぞれ形成し、下部材Ｃ４ａに対して上部材Ｃ４ｂを回動することで、上向き凹凸面ｆ１上を下向き凹凸面ｆ２がスライド上昇し、下部材Ｃ４ａに対して上部材Ｃ４ｂを上昇させる機構を備えている。
【００３７】
本発明においては、上向き凹凸面ｆ１は、下部材Ｃ４ａの下部外周壁６３内面に突設した上向き凹凸面形成用突部６４の上面に形成し、一方下向き凹凸面ｆ２は、例えば上向き凹凸面ｆ１と対向する位置の、上部外周壁７２内面に突設した下向き凹凸面形成用突部７３上面に形成している。本発明の参考例として、上記上向き凹凸面ｆ１を下部外周壁６３の上面に、また下向き凹凸面ｆ２を上部外周壁７２下面にそれぞれ形成することも可能である。
【００３８】
本例に於ける上部材Ｃ４ｂの易離脱手段は、下部外周壁６３内面に突設した環状の上向き凹凸面形成用突部６４の上面に形成した上向き凹凸面ｆ１と、上部外周壁７２内面に突設した三箇所環状の下向き凹凸面形成用突部７３の下面に形成した下向き凹凸面ｆ２とを備えている。
【００３９】
上向き凹凸面形成用突部６４は、図７に展開図で示す如き三箇所の三角形状凹部６５を、下部外周壁６３の両側及び後部位置にそれぞれ所定間隔をあけて凹設し、その上面を上向き凹凸面ｆ１として構成している。また、下向き凹凸面形成用突部７３は上部外周壁７２の両側及び後部位置に突設し、下端に三角板状突部７７をそれぞれ形成し、その下面をそれぞれ下向き凹凸面ｆ２として構成している。そして、下部材Ｃ４ａに対して上部材Ｃ４ｂを回動することで、各三角板状突部７７が各三角形状凹部６５間の平坦面上に乗り上げて下部材Ｃ４ａに対して上部材Ｃ４ｂを上昇させることで、下部材Ｃ４ａから上部材Ｃ４ｂを容易に取り外すことが可能としている。
【００４０】
また、本例では、上記した装着キャップＡの案内溝１３と下部材Ｃ４ａの縦リブ６６とで、下部材Ｃ４ａを装着キャップＡに対して、常時所定位置での上下動が可能に構成しており、また、上記した上向き凹凸面ｆ１と下向き凹凸面ｆ２との構成で、上向き凹凸面ｆ１と、下向き凹凸面ｆ２とを、下部材Ｃ４ａと上部材Ｃ４ｂとのそれぞれ一部に形成してているため、取り外した上部材Ｃ４ｂを下部材Ｃ４ｂに嵌着した際に、ノズル７４が装着キャップＡに対して常時所定方向、例えば前方を向く如く構成している。
【００４１】
尚、本例では、上記した如く、図４に説明上斜線で示す如き、上向き凹凸面形成用突部６４の三箇所の位置にそれぞれ複数の三角形状凹部６５を設けており、一方、図６に説明上斜線で示す如き、上向き凹凸面形成用突部６４の三箇所の位置にそれぞれ複数の三角板状突部７７を設けているが、全周に亘って連続的に各三角形状凹部６５、三角板状突部７７を連設しても良い。また、上記要件を満たす範囲で、一箇所の突部及び凹部を設けて、それぞれの上面及び下面を上向き凹凸面ｆ１、下向き凹凸面ｆ２としても良い。また、図示しないが、本発明の参考例として、この様な上向き凹凸面ｆ１及び下向き凹凸面ｆ２を下部外周壁６３上面、上部外周壁７２下面に設けることも可能である。また、上向き凹凸面ｆ１及び下向き凹凸面ｆ２の形状として、上記した三角形状に限らず、下部材Ｃ４ａに対して上部材Ｃ４ｂを回動することで、上向き凹凸面ｆ１上を下向き凹凸面ｆ２がスライド上昇し、下部材Ｃ４ａに対して上部材Ｃ４ｂを上昇させることが可能な形状であれば種々採用でき、例えば、それぞれ波型の上向き凹凸面ｆ１及び下向き凹凸面ｆ２の形状であってもよい。
【００４２】
カバーキャップＥは、装着キャップＡの外周上部に周壁下端部を着脱可能に嵌合させ、吐出ヘッドＣ４を被覆して着脱可能に装着させている。
【００４３】
上記泡吐出器１は、図１の状態からカバーキャップＥを外して吐出ヘッドＣ４を押し下げると、空気用ピストンＣ３がステムＣ２に対して相対的に上昇して空気吐出弁４９が開き、下降する空気用ピストンＣ３により空気用シリンダ２０内の空気が加圧されて空気供給路ｐを介して気液混合室Ｒ内に導入される。一方、液用シリンダ２１が下降してポペット弁体Ｄを吸込み弁用の弁座２２に当接させるまで下降させるとともに、ポペット弁体ＤがステムＣ２に対して相対的に上昇して逆止弁８２が開き、液用シリンダ２１内の加圧液を吐出弁３７を介して気液混合室Ｒに導入させ、ここで気液を混合する。この際ポペット弁体ＤはステムＣ２に対して相対的に上昇する。気液混合室Ｒで混合された気液はメッシュ７６ａを通過して発泡し、吐出ヘッドＣ４のノズル７４から外部へ吐出される。
【００４４】
吐出ヘッドＣ４の押圧を解除すると、コイルスプリングｓの付勢力により作動部材Ｃが上昇し、その際空気用ピストンＣ３がステムＣ２に対して相対的に下降して空気吐出弁４９が閉じ、空気用シリンダ２０内の負圧化によって外気導入弁４８が開いて外気が空気用シリンダ２０内に導入される。一方、ステムＣ２の上昇によりポペット弁体Ｄは、逆止弁８２と各縦突条３８の摩擦力で上昇し、吸込み弁８３が開いて負圧化した液用シリンダ２１内に容器体１００内の液が導入され、その際吐出弁３７は閉じる。ポペット弁体Ｄはその係止突部８０がコイルスプリングｓの下面に当接するまで上昇するが、その後はステムＣ２に対して、逆止弁体８１が逆止弁用の弁座３２に当接するまで相対的に下降する。
【００４５】
本発明では、吐出ヘッドＣ４を上記した下部材Ｃ４ａと上部材とで構成し、また、易離脱手段を備えているため、必要に応じて図３に示す如く、上部材Ｃ４ｂを取り外すことが可能である。装着する場合も下部材Ｃ４ａ上方より縦筒７０を支持筒６１に嵌合しつつ上部材Ｃ４ｂを回転させれば容易に上向き凹凸面ｆ１に下向き凹凸面ｆ２が嵌合して容易な装着が可能となる。
【符号の説明】
【００４６】
１：泡吐出器
Ａ：装着キャップ
１０…周壁、１１…頂壁、１２…ガイド筒、１３…案内溝
Ｂ：シリンダ部材
２０…空気用シリンダ、２１…液用シリンダ、２２…吸込み弁用の弁座、
２３…パイプ嵌合筒、２４…吸い上げ用のパイプ、２５…係止リブ
Ｃ：作動部材
Ｃ１：液用ピストン
３０…嵌合筒部、３１…摺動部、３２…逆止弁用の弁座
Ｃ２：ステム
３５…吐出弁用の弁座、３６…玉状弁体、３７…吐出弁、３８…縦突条、
３９…空気吐出弁用の弁座、４０…縦突条、
Ｃ３：空気用ピストン
４５…筒状弁部、４６…階段状の隔壁、４７…摺動部、４８…外気導入弁、
４９…空気吐出弁
Ｃ４：吐出ヘッド
Ｃ４ａ：下部材
５５…嵌着筒、５６…フランジ、５７…内筒、５８…環状凹部、
６０…規制突起、６１…支持筒、６２…接続リブ、６３…下部外周壁、
６４…上向き凹凸面形成用突部、６５…三角形状凹部、６６…縦リブ
Ｃ４ｂ：上部材
７０…縦筒、７１…頂板、７２…上部外周壁、７３…下向き凹凸面形成用突部  、      ７４…ノズル、７５…吐出口、７６…起泡部材、７６ａ…メッシュ、７６ｂ…筒体、
７７…三角板状突部
Ｄ：ポペット弁体
８０…係止突部、８１…逆止弁体、８２…逆止弁、８３…吸込み弁
Ｅ：カバーキャップ
ｓ：コイルスプリング
ｐ：空気供給路
ｆ１：上向き凹凸面
ｆ２：下向き凹凸面
Ｒ：気液混合室
１００：容器体
１０１…口頸部
【図１】
0005791079.tif 000002
【図２】
0005791079.tif 000003
【図３】
0005791079.tif 000004
【図４】
0005791079.tif 000005
【図５】
0005791079.tif 000006
【図６】
0005791079.tif 000007
【図７】
0005791079.tif 000008